(57)【要約】  本発明は、関心対象を測定する方法及び装置に関する。この装置１００は、外層１０２、関心対象に取り付けられる内層１０１、測定信号を得るための、少なくとも１つの送信コイル及び少なくとも１つの測定コイルを有するコイル配列、測定結果を得るために前記コイルと協同するように構成される励起回路及び測定回路を有する。前記内層は関心対象と一緒に移動可能である。前記励起回路及び前記処理回路の少なくとも一部は、前記外層上に配される。このようにして、関心対象の移動により生じる測定誤差は避けられることができ、この関心対象は動けることにより快適であると感じることができる。
2012520112.tif 000002
【特許請求の範囲】
【請求項１】
関心対象を測定するための装置であり、
外層、
前記関心対象に取り付けられる内層、
測定信号を得るために構成される、少なくとも１つの送信コイル及び少なくとも１つの測定コイルを有するコイル配列、
前記少なくとも１つの送信コイルを励起させるように構成される励起回路、並びに
前記少なくとも１つの測定コイルにより測定される前記測定信号を処理するように構成される処理回路
を有する装置において、コイル配列は前記内層上に配され、前記励起回路及び前記処理回路の少なくとも一部は前記外層上に配され、並びに前記内層は前記関心対象と一緒に移動可能である、装置。
【請求項２】
前記少なくとも１つの送信コイルは、前記関心対象に印加される一次磁場を発生させるように構成され、前記少なくとも１つの測定コイルは、二次磁場により誘導される信号を受信するように構成され、並びに前記二次磁場は前記一次磁場に反応して発生する、請求項１に記載の装置。
【請求項３】
前記内層を前記外層と接続し、前記内層が前記関心対象と一緒に前記外層に対し移動することを可能にするために、前記内層と前記外層との間に構成されるコネクタをさらに有する請求項１に記載の装置。
【請求項４】
前記コネクタは、
前記内層及び前記外層を接続するように構成されるシャフト、並びに
前記内層の外側及び前記外層の内側の何れか一方に取り付けられる支持体
を有し、前記シャフト及び前記支持体は、前記シャフトが当該シャフトの軸の周りを回転することを可能にするように構成される、
請求項３に記載の装置。
【請求項５】
前記コネクタは、
前記内層及び前記外層を接続するように構成されるシャフト、並びに
前記内層の外側及び前記外層の内側の何れか一方に取り付けられるトラック
を有し、前記シャフト及び前記トラックは、前記シャフトが前記トラックに沿ってスライドする及び／又は前記シャフトの軸の周りを回転することを可能にするように構成される、
請求項３に記載の装置。
【請求項６】
前記シャフトは、前記内層と前記外層との間を伸び縮みするように構成される請求項４又は５に記載の装置。
【請求項７】
前記コネクタはさらに、前記シャフトの端部の何れかに配される球体を有する請求項６に記載の装置。
【請求項８】
前記シャフトは、主軸及びスリーブを有する請求項６に記載の装置。
【請求項９】
前記内層を前記関心対象に取り付けるために、前記内層上に配される保持固定具をさらに有する、請求項１に記載の装置。
【請求項１０】
励起回路により少なくとも１つの送信コイルを励起させるステップ、
前記少なくとも１つの送信コイル及び少なくとも１つの測定コイルにより測定信号を得るステップ、並びに
前記少なくとも１つの測定コイルにより測定される信号を処理回路により処理するステップ
を有する関心対象を測定する方法において、
前記少なくとも１つの送信コイル及び前記少なくとも１つの測定コイルは、前記関心対象に取り付けられる内層上に配され、前記励起回路及び前記処理回路の少なくとも一部は、前記外層上に配され、並びに前記内層は前記関心対象と一緒に移動可能である、方法。
【請求項１１】
前記得るステップは、
前記少なくとも１つの送信コイルにより、前記関心対象に印加される一次磁場を発生させるステップ、及び
前記一次磁場に反応して発生する二次磁場により誘導される信号を、前記少なくとも１つの測定コイルにより測定するステップ、
を有する請求項１０に記載の方法。
【請求項１２】
前記内層を前記外層と接続するために、前記内層と前記外層との間に配されるコネクタを用いて、前記内層が前記外層に対して三次元で移動することを可能にする請求項１０又は１１に記載の方法。
【発明の詳細な説明】
【技術分野】
【０００１】
本発明は、測定に関する、特に医用撮像システム、例えば磁気誘導トモグラフィーシステムにおいて関心対象を測定する方法及び装置に関する。
【背景技術】
【０００２】
磁気誘導トモグラフィー（ＭＩＴ）は、工業用及び医用撮像に応用性がある非侵襲性及び非接触撮像技術である。他の電気撮像技術とは対照的に、ＭＩＴは、撮像する関心対象とセンサとが直接接触することを必要としない。
【０００３】
WO2007/072343は、対象の電磁特性を調査するためのＭＩＴシステムを開示している。このシステムは、調査すべき対象内に渦電流を誘導する一次磁場を発生させるのに適した１つ以上の発生器コイル、前記渦電流の結果として発生する二次磁場を検出するのに適した１つ以上の測定コイル、並びに一方は１つ以上の発生器コイル及び／又は１つ以上のセンサコイルと、他方は調査される対象との間の相対的移動を提供する手段を有する。
【０００４】
ＭＩＴシステムにおいて、関心対象の磁気特性は、多くの測定結果に基づいて通常は計算される。これら多くの測定の間、関心対象は、これら多くの測定がこの関心対象の位置により決められる同じシナリオに基づくのを確実にするように固定されたままにすると推測される。この関心対象が移動する場合、ＭＩＴ装置は、その移動を識別することができず、この関心対象の別々の位置に従う別々のシナリオでの測定に基づいて関心対象の磁気特性を計算する。このとき、関心対象の測定される磁気特性に測定誤差が存在するだろう。関心対象の測定により生じるこの測定誤差は、動きアーチファクトと呼ばれる。この動きアーチファクトが関心対象の測定される磁気特性を損なわせることを防ぐために、選択の１つは、ＭＩＴ測定の間、測定される関心対象を固定しておくことである。さらに、１つの測定の時間は、応用に依存して約数秒から３０分までに及ぶ。幾らかの深刻な患者又は特別な症状に対し、測定に約３０分も費やすことはよくあることである。このような状況において、患者に動かないよう要求するのは不可能であり、長い間、動かずにいることを患者に強いる場合、患者は非常に不快に感じるだろう。
【発明の概要】
【発明が解決しようとする課題】
【０００５】
測定処理の間、関心対象の移動により生じる測定誤差を減少又は回避することが利点である。これら測定処理の間、関心対象に快適と感じさせることも望ましい。
【課題を解決するための手段】
【０００６】
上記問題の１つ以上を上手く対処するために、本発明の第１の態様において、関心対象を測定するための装置が示される。この装置は、
外層、
関心対象に取り付けられる内層、
測定信号を得るために構成される、少なくとも１つの送信コイル及び少なくとも１つの測定コイルを有するコイル配列、
前記少なくとも１つの送信コイルを励起させるように構成される励起回路、並びに
前記少なくとも１つの測定コイルにより測定される測定信号を処理するように構成される処理回路
を有し、ここでコイル配列は前記内層上に配され、前記励起回路及び前記処理回路の少なくとも一部は前記外層上に配され、並びに前記内層は前記関心対象と一緒に移動可能である。
【０００７】
前記コイルを内層上に配し、前記内層を前記関心対象に取り付けることにより、この内層は、関心対象と一緒に移動可能であり、関心対象と前記コイルとの相対位置は、測定処理の間にこの関心対象が移動するとき、変わらないままでいる。このようにして、関心対象は、関心対象の測定される磁気特性に測定誤差を生じさせることなく、この測定処理の間に移動することができる。さらに、回路全てが外層上に配される場合、比較的軽い内層を所持するときに関心対象が移動するのは簡単である。それ故に、関心対象の移動により生じる測定誤差は避けられ、この関心対象は動けることにより快適であると感じる。
【０００８】
ある実施例において、前記装置はさらに、内層と外層との間に構成され、これら２つの層を接続し、内層が関心対象と一緒に外層に対して移動することを可能にするコネクタを有する。
【０００９】
コネクタの様々な種類の構成は、内層と外層との間の様々な種類の相対移動に対応している。ある実施例において、前記コネクタは、内層と外層とを接続するように構成されるシャフト、並びに内層の外側及び外層の内側の何れか一方に取り付けられる支持体を有し、これらシャフト及び支持体は、シャフトがこのシャフトの軸の周りを回転することを可能にするように構成される。このようにして、シャフトと接続される内層は、関心対象と一緒にシャフトの軸の周りを回転する。
【００１０】
他の実施例において、前記コネクタは、内層及び外層を接続するように構成されるシャフト、並びに内層の外側及び外層の内側の何れか一方に取り付けられるトラックを有し、これらシャフト及びトラックは、シャフトがトラックに沿ってスライドする及び／又はシャフトの軸の周りを回転することを可能にするように構成される。このようにして、シャフトと接続される内層は、シャフトをトラックに沿ってスライドすることにより関心対象と一緒に移動する及び／又は関心対象と一緒にシャフトの軸の周りを回転する。
【００１１】
本発明の第２の態様において、関心対象を測定する方法が示される。この方法は、
励起回路により少なくとも１つの送信コイルを励起させるステップ、
少なくとも１つの送信コイル及び少なくとも１つの測定コイルにより測定信号を受信するステップ、並びに
前記少なくとも１つの測定コイルにより受信した信号を処理回路により処理するステップ
を有し、前記少なくとも１つの送信コイル及び前記少なくとも１つの測定コイルは、関心対象に取り付けられる内層上に配され、励起回路及び処理回路の少なくとも一部は、外層上に配され、並びに前記内層は関心対象と一緒に移動可能である。
【００１２】
本発明のこれら及び他の態様は、以下に説明される実施例から明らかであり、これら実施例を参照して説明される。
【図面の簡単な説明】
【００１３】
【図１】本発明による装置の実施例の概略図を示す。
【図２ａ】コネクタの実施例の概略図を示す。
【図２ｂ】コネクタの他の実施例の概略図を示す。
【図２ｃ】図２ａ及び図２ｂに関する概略図に従う座標軸を示す。
【図３ａ】シャフトの実施例の概略図を示す。
【図３ｂ】図３ａに関するシャフトの実施例の概略図の右側面図を示す。
【図３ｃ】図３ａに関する概略図に従う座標軸を示す。
【図４ａ】シャフト及び支持体を有するコネクタの実施例の概略図を示す。
【図４ｂ】図４ａに関するシャフト及び支持体を有するコネクタの実施例の概略図の右側面図を示す。
【図４ｃ】図４ａに関する概略図に従う座標軸を示す。
【図５ａ】シャフト及びトラックを有するコネクタの実施例の概略図を示す。
【図５ｂ】図５ａに関するシャフト及びトラックを有するコネクタの実施例の概略図の右側面図を示す。
【図５ｃ】図５ａに関する概略図に従う座標軸を示す。
【図６】本発明による方法を示すフローチャート。
【発明を実施するための形態】
【００１４】
本発明の上記及び他の特徴は、添付する図面に関連して考えられる以下の詳細な説明からより明らかとなるだろう。
【００１５】
これら図面を通して、同じ参照番号は類似部分を示すのに使用される。
【００１６】
図１は、本発明による装置１００の実施例の概略図を示す。
【００１７】
この装置１００は、関心対象（図示せず）を測定するのに使用されることができ、この関心対象は人間の器官又は導体材料の塊とすることができる。以下に述べられる実施例の詳細な説明は、人間の頭部への応用に基づいているが、本発明は人間の頭部に限定されない。
【００１８】
図１を参照すると、前記装置１００は、外層１０２を有する。この外層１０２は、他の手段を配するための支持層、及びコイルを外部磁場による影響から守るための遮蔽層として使用されることができる。この遮蔽機能のために、外層１２０は、アルミニウム、鉄等から作られることができる。この外層１０２の形状は、関心対象の形状に類似する、又は関心対象の形状と別にすることができる。
【００１９】
前記装置１００はさらに、関心対象に取り付けられる内層１０１を有する。内層１０１及び外層１０２の形状は、図１に示されるように人間の頭部を覆うような半球状として構成される。これら２つの層１０１、１０２の形状は、関心対象（すなわち測定される対象）の異なる形状に対し別々にすることができる、及び内層１０１の形状が外層１０２の形状と同じに又は別にすることができる。内層１０１の形状は、この関心対象とぴったり合う、若しくはこの関心対象の形状と別にすることができる。内層１０１は、内層１０１の形状が関心対象のサイズにぴったり合うようにこの形状を慎重に設計する、又は保持固定具（図示せず）を内層１０１に取り付ける、のどちらか一方により、関心対象に取り付けられることができる。この保持固定具はロープ、バンド又は内層１０１を関心対象に取り付けることができる如何なる他の手段とすることができる。この保持固定具は、プラスチック、ゴム等から作ることができる。
【００２０】
前記装置１００はさらに、少なくとも１つの送信コイル１１１及び測定信号を得るために構成される少なくとも１つの測定コイル１１１'を有する。これら送信コイル１１１の数は、測定コイル１１１'の数と同じに、又は別にすることができる。装置１００が関心対象の電磁特性を測定するのに利用される場合、送信コイル１１１は、この関心対象に印加される一次磁場を発生させるように構成され、測定コイル１１１'は、二次磁場により誘導される信号を測定するように構成される。この二次磁場は、一次磁場に反応して発生する。例えば、送信コイル１１１は、関心対象に渦電流を誘導する一次磁場を発生させるために交流電流が供給され、関心対象における渦電流の結果として二次磁場が発生し、次いでこの二次磁場を測定コイル１１１'が測定する。
【００２１】
装置１００はさらに、送信コイル１１１を励起させるように構成される励起回路１１２、及び測定回路１１１'により測定された測定信号を処理するように構成される処理回路１１２'を有する。励起回路１１２は送信コイル１１１に交流電流を供給し、一次磁場を発生させ、所定の信号強度及び信号周期に従って動作するように送信コイルを制御する。処理回路１１２'は、測定コイル１１１'から測定信号を受信し、関心対象の電磁特性を計算する。これら電磁特性は、導電率、誘電率、透磁率等を有する。
【００２２】
装置１００にとって、コイル配列は、内層１０１上に配され、励起回路１１２及び処理回路１１２'の少なくとも一部は、外層１０２上に配され、並びに内層１０１は関心対象と一緒に移動可能である。
【００２３】
コイル配列にとって、コイル１１１、１１１'は、図１に示されるような方法だけでなく、測定要件に基づいて、内層１０１上の如何なる位置に置かれることもできる。その上、コイル１１１、１１１'間の相対位置は、測定要件に従う如何なる可能なレイアウトにもすることができる。
【００２４】
回路配列にとって、図１は、励起回路１１２及び処理回路１１２'は全て外層１０２の上に配されていることを示している。そうすることにより、内層１０１を関心対象に取り付けることがこの関心対象にとって快適及び便利であるように、内層１１１はできるだけ軽くすることができる。これら回路１１２、１１２'は、図１に示される方法とは別の方法で置かれることができる。前記コイル１１１、１１１及び前記回路１１２、１１２'を接続するケーブル（図示せず）が存在し、これら回路及びコイルを一緒に１つの層に配する代わりに、回路１１２、１１２'を外層１０２上に、及びコイル１１１、１１１'を内層１０１上に配するとき、これらケーブルはかなり長い。さらに、長いケーブルは大きい信号送信減衰を意味する。それ故に、ケーブルの長さを減少させることにより前記信号送信減衰を低減させるために、これら回路１１２、１１２'の一部は、内層１０１上に配されることができる。２つの層１０１、１０２上における励起回路１１２及び処理回路１１２'の分布は、軽量の内層１０１と、少ない信号送信減衰との間のバランスに基づいて決められることができる。前記回路１１２、１１２'は、内層１０１及び外層１０２上の如何なる位置にも置かれることができ、コイル１１１、１１１'と回路１１２、１１２'との相対的な位置決めは、測定要件に基づく如何なる可能なレイアウトにもすることができる。
【００２５】
ある実施例において、装置１００はさらに、内層１０１を外層１０２と接続し、この内層１０１が関心対象と一緒に外層１０２に対して移動することを可能にする、内層１０１と外層１０２との間に形成されるコネクタ２００を有する。
【００２６】
図２ａは、前記コネクタ２００の実施例の概略図を示す。図２ｂは、前記コネクタ２００の他の実施例の概略図を示す。図２ｃは、図２ａ及び図２ｂに関する実施例に従う座標軸を示す。
【００２７】
図２ａの概略図において、コネクタ２００の実施例は、内層１０１と、外層１０２とを接続するように構成されるシャフト２０１、並びに内層１０１の外側及び外層１０２の内側の何れか１つに取り付けられる支持体２０２を有し、ここで前記シャフト２０１及び支持体２０２は、シャフト２０１がこのシャフト２０１の軸の周りを回転することを可能にするように構成されるのが示される。このようにして、シャフト２０１と接続した内層１０１は、関心対象と一緒にシャフト２０１の軸の周りを回転する。
【００２８】
図２ｂの概略図において、コネクタ２００の他の実施例は、内層１０１と、外層１０２とを接続するように構成されるシャフト２０１、並びに内層１０１の外側及び外層１０２の内側の何れか１つに取り付けられるトラック２０３を有し、ここで前記シャフト２０１及びトラック２０３は、シャフト２０１がトラック２０３に沿ってスライドする及び／又はシャフト２０１の軸の周りを回転することを可能にするように構成されるのが示される。このようにして、シャフト２０１と接続した内層１０１は、トラック２０３に沿ったシャフト２０１のスライドにより、関心対象と一緒に移動及び／又は関心対象と一緒にシャフト２０１の軸の周りを回転する。
【００２９】
コネクタ２００は、図３から図５を参照して以下に詳細に説明される。
【００３０】
ある実施例において、シャフト２０１は、内層１０１と外層１０２との間を伸び縮みするように構成される。
【００３１】
図３ａは、シャフト２０１の実施例の概略図を示す。図３ｂは、図３ａに関するシャフト２０１の実施例の概略図の右側面図を示す。図３ｃは、図３ａに関する前記概略図に従う座標軸を示す。
【００３２】
主軸(mandrel)３０１及びスリーブ３０２を有するシャフト２０１のケーシング管(casing tube)構造が図３ａに示される。図３ａは、図２ｃに関するｙ軸２０２に沿って見ているシャフト２０１の図である。図３ｂは、図３ａに示されるシャフト２０１の右側面図を示す。主軸３０１は、スリーブ３０２の中又は外に移動することができる、すなわちシャフト２０１の長さは変更可能である。このようにして、内層１０１は、シャフト２０１の長さを変更することにより、関心対象と一緒にｘ軸２１１に沿って移動することができる。さらに、１つのスリーブ３０２又は１つずつ覆われた多くのスリーブ３０２が存在することができる。
【００３３】
ケーシング管の他に、延長可能且つ収縮可能な前記シャフト２０１は、油圧ユニット、ばね等とすることもできる。シャフト２０１の断面形状は、円形又は如何なる他の形状、例えば矩形、三角形等とすることができる。さらに、これら断面形状は、シャフト２０１の軸方向の異なる位置に対し異なることができる。これらシャフト２０１の数及びレイアウトに制限はない。例えば、内層１０１及び外層１０２を接続する幾つかのシャフト２０１が存在することができるし、シャフト２０１が異なる位置に分配されたり、異なる向きで置かれたりすることができる。
【００３４】
図４ａは、シャフト２０１及び支持体２０２を有するコネクタ２００の実施例の概略図を示す。図４ｂは、図４ａに関するシャフト２０１及び支持体２０２を有するコネクタ２００の実施例の概略図の右側面図を示す。図４ｃは、図４ａに関する前記概略図に従う座標軸を示す。
【００３５】
図４ａは、図２ｃに関するｙ軸２１２に沿って見ているシャフト２０１及び支持体２０２の構成の断面図である。図４ｂは、図４ａの概略図の右側面図である。これら図は、シャフト２０１の一端は突起した状態であり、支持体２０２には窪んだ穴(recess hole)がある。シャフト２０１の突起端を支持体２０２の窪んだ穴に押し込むことにより、シャフト２０１は支持体２０２と接続し、同時にシャフト２０１の軸の周りを回転することができる。さらに、シャフト２０１と接続する内層１０１も関心対象と一緒にシャフト２０１の軸の周りを回転することができる。これを行うことにより、内層１０１は、関心対象と一緒にｘ軸２１１の周りを回転することができる。
【００３６】
さらに、図４ａに示されるように、シャフト２０１の端部に球体４０１が配されている。これら球体はシャフト２０１が回転している間、摩擦力を減少させるように構成される。これら球体４０１は支持体２０２に配されることもできる。他の減摩手段、例えば潤滑剤が動作することもできる。
【００３７】
図４ａに示される接続形式の他に、シャフト２０１及び支持体２０２は、他の物、例えばねじ、ボルト等を利用して接続されることもできる。窪んだ穴は、シャフト２０１の端部において、支持体２０２上の突起部とすることもできる。シャフト２０１の各々の端部が１つの支持体と接続される場合、内層１０１は関心対象と一緒に外層１０２に対して移動することができ、シャフト２０１はこれら２つの層１０１、１０２に対して回転することができる。シャフト２０１及び支持体２０２は、支持体２０２と接続されているとき、シャフト２０１が回転可能であれば、如何なる形状を持つ及び如何なる方法で接続されることもできる。シャフト２０１及び支持体２０２の数及び配列に制限はない。あるシャフト２０１とある支持体２０２との間の接続は、一時的又は恒久的にすることもできる。
【００３８】
さらに、シャフト２０１は、接続されているとき、このシャフト２０１が回転可能であれば、内層１０１及び外層１０２の何れにも直接接続することもできる。例えば、内層１０１の内側に１つの窪んだ穴、つまり、図４ａに示される支持体２０２にあるのと同じ穴が存在することができる。
【００３９】
図５ａは、シャフト２０１及びトラック２０３を有するコネクタ２００の実施例の概略図を示す。図５ｂは、図５ａに関するシャフト２０１及びトラック２０３を有するコネクタ２００の実施例の概略図の右側面図を示す。図５ｃは、図５ａに関する前記概略図に従う座標軸を示す。
【００４０】
図５ａは、図２ｃに関するｙ軸２１２に沿って見ているシャフト２０１及びトラック２０３の構成の断面図である。図５ｂは、図５ａの右側面図である。これら図面は、シャフト２０１の一端は突起した状態であり、トラック２０３に沿った溝があることを示す。シャフト２０１の突起部をトラック２０３に沿った溝に押し込むことにより、シャフト２０１はトラック２０３と接続し、トラック２０３に沿ってスライドする及び／又はシャフト２０１の軸の周りを回転することができる。シャフト２０１と接続する内層１０１は、シャフト２０１をトラック２０３に沿ってスライドすることにより関心対象と一緒に移動することができる及び／又は関心対象と一緒にシャフト２０１の軸の周りを回転することができる。これを行うことにより、内層１０１は、ｚ軸２１３及び／又はｘ軸２１１の周りを回転することができる。
【００４１】
さらに、図５ａに示されるように、シャフト２０１の端部に球体４０１が配される。これら球体はシャフト２０１がスライドする及び／又は回転するとき、摩擦力を減少させるように構成される。これら球体４０１は、トラック２０３に沿って配されることもできる。他の減摩手段、例えば潤滑剤が動作することもできる。
【００４２】
図５ａに示される接続形式の他に、シャフト２０１及びトラック２０３は、他の物、例えばねじ、ボルト等を利用して接続されることもできる。前記溝は、シャフト２０１の端部において、トラック２０３に沿った突起部とすることもできる。トラック２０３は閉じているか又は開いているかの何れか一方にすることができる。シャフト２０１の各々の端部が１つのトラックと接続される場合、内層１０１は関心対象と一緒に外層１０２に対して移動することができ、シャフト２０１はこれら２つの層１０１、１０２に対して移動することができる。シャフト２０１及びトラック２０３は、如何なる形状を持つことができ、並びにトラック２０３と接続されているとき、シャフト２０１がスライド及び／又は回転することができれば、如何なる方法で接続されることができる。シャフト２０１及びトラック２０３の数及び配列に制限はない。あるシャフト２０１とあるトラック２０３との間の接続は、一時的又は恒久的にすることもできる。
【００４３】
さらに、シャフト２０１は、接続されているとき、このシャフト２０１がスライド可能であれば、内層１０１及び外層１０２の何れにも直接接続することもできる。例えば、内層１０１の外側に１つの溝、つまり、図５ａに示されるトラック２０３にあるのと同じ溝が存在することができる。
【００４４】
上述したコネクタ２００の数及び位置を慎重に設計することにより、上述した移動の種類の他に、内層１０１が関心対象と一緒に外層１０２に対し如何なる方向にも移動することができることは当業者により理解されている。
【００４５】
図６は、本発明による方法を示すフローチャートである。
【００４６】
図６を参照すると、この方法は、少なくとも１つの励起回路１１２により少なくとも１つの送信コイル１１１を励起させるステップ６１０を有する。
【００４７】
この方法はさらに、少なくとも１つの送信コイル１１１及び少なくとも１つの測定コイル１１１'を有するコイル配列により測定信号を得るステップ６０２を有する。
【００４８】
前記方法はさらに、少なくとも１つの測定コイル１１１'により受信した信号を、処理回路１１２'により処理するステップ６３０を有する。
【００４９】
上記ステップに対し、送信コイル１１１及び測定コイル１１１'は、関心対象に取り付けられる内層１０１上に配され、励起回路１１２及び処理回路１１２'の少なくとも一部は、外層１０２上に配され、内層１０１は関心対象と一緒に移動可能である。上記ステップの順番は変更することができ、全処理は上記ステップに限定されない。
【００５０】
前記方法の実施例において、前記得るステップ６２０は、少なくとも１つの送信コイルにより関心対象に印加される一次磁場を発生させるステップ、及び二次磁場により誘導される信号を少なくとも１つの測定コイル１１１'により受信するステップを有し、前記二次磁場は前記一次磁場に反応して発生する。
【００５１】
本発明の他の実施例において、内層１０１を外層１０２と接続するために、この内層１０１とこの外層１０２との間に配されるコネクタ２００を用いて、この内層１０１が外層１０２に対して三次元に移動することを可能にする。
【００５２】
前記装置及び方法は、関心対象を測定するための別の医療システム、例えばそれに限定しないが、磁気共鳴撮像（ＭＲＩ）に応用されることを当業者は理解するだろう。
【００５３】
上述した実施例は本発明を限定するのではなく説明していること、及び当業者は添付される特許請求の範囲から外れていない他の実施例を設計することが可能であることに注意すべきである。これら請求項において、括弧内に置かれる如何なる参照符号もその請求項を制限しているとは考えない。"有する"という用語は、請求項又は明細書に挙げていない要素又はステップの存在を排除するものではない。複数あることを述べないことが、それら要素が複数あることを排除するものではない。幾つかのユニットを列挙している装置の請求項において、これらユニットの幾つかがハードウェア又はソフトウェアの同じアイテムにより具現化されることができる。第１、第２及び第３、等の用語の使用は如何なる順序も示していない。これらの用語は名称であると解釈されるべきである。
【図１】
2012520112.tif 000003
【図２ａ】
2012520112.tif 000004
【図２ｂ】
2012520112.tif 000005
【図２ｃ】
2012520112.tif 000006
【図３ａ】
2012520112.tif 000007
【図３ｂ】
2012520112.tif 000008
【図３ｃ】
2012520112.tif 000009
【図４ａ】
2012520112.tif 000010
【図４ｂ】
2012520112.tif 000011
【図４ｃ】
2012520112.tif 000012
【図５ａ】
2012520112.tif 000013
【図５ｂ】
2012520112.tif 000014
【図５ｃ】
2012520112.tif 000015
【図６】
2012520112.tif 000016
【国際調査報告】
2012520112.tif 000017
2012520112.tif 000018
2012520112.tif 000019